(57)【要約】【課題】複数のチューナおよびHDDの記録領域を有効活用して、ユーザに番組をより楽しませることができるようにする。【解決手段】ユーザのＷ録画モードによる録画要求に対応して、チューナ部２１−１および２１−２は、同じチャンネルを選局する。チューナ部２１−１により受信されたコンテンツＡのデータは、コンテンツ保持部２７に記録される。チューナ部２１−２により受信されたコンテンツＡ´のデータについては、権利情報が権利管理情報保持部２８に保持される。ユーザのコンテンツ活性化の要求に対応して、コンテンツＡ´の権利情報に基づいて、コンテンツ保持部２７のコンテンツＡから、コンテンツＡ´が複製される。本発明は、HDDにデータを記録したり、HDDに記録されたデータを再生する記録再生装置に適用することができる。【選択図】図４
2010161434.tif 000002
【特許請求の範囲】
【請求項１】
ユーザの操作に応じて、同じチャンネルの放送信号を受信する複数のチューナと、
前記複数のチューナのうち、一方のチューナで受信された前記放送信号に含まれる第１のコンテンツをデコードする第１のデコード手段と、
前記第１のデコード手段によりデコードされた前記第１のコンテンツを記録する記録手段と、
前記第１のコンテンツと同じ内容のコンテンツであって、他方のチューナで受信された前記放送信号に含まれる第２のコンテンツをデコードする第２のデコード手段と、
前記第２のデコード手段によりデコードされた前記第２のコンテンツを記録する権利があることを示す前記第２のコンテンツの権利情報を保持する権利情報保持手段と、
ユーザの操作に応じて、前記権利情報保持手段により保持されている前記第２のコンテンツの権利情報を用いて、前記記録手段により記録された前記第１のコンテンツから、前記第２のコンテンツを複製するコンテンツ複製手段と
を備える記録装置。
【請求項２】
前記第２のコンテンツの権利情報が前記権利情報保持手段により保持されている場合、前記第２のコンテンツに関するメタ情報を取得するメタ情報取得手段と、
前記メタ情報取得手段により取得された前記メタ情報を保持するメタ情報保持手段と、
前記コンテンツ複製手段により前記第２のコンテンツが複製されたとき、前記メタ情報保持手段により保持されている前記メタ情報を、複製された前記第２のコンテンツに紐付けて保持する紐付け保持手段と
をさらに備える請求項１に記載の記録装置。
【請求項３】
前記メタ情報取得手段は、前記第２のコンテンツの番組情報から取得されるキーワードを用いて、ネットワークに接続されるサーバから、前記第２のコンテンツに関するメタ情報を取得する
請求項２に記載の記録装置。
【請求項４】
前記メタ情報取得手段は、前記記録手段により記録された前記第１のコンテンツの特徴が抽出された結果を、キーワードとして用いて、ネットワークに接続されるサーバから、前記第２のコンテンツに関するメタ情報を取得する
請求項２に記載の記録装置。
【請求項５】
前記記録手段により記録された前記第１のコンテンツ、または、前記複製手段により複製された前記第２のコンテンツを再生する再生手段をさらに備え、
前記再生手段は、前記紐付け手段により紐付けて保存された前記メタ情報を用いて、前記複製手段により複製された前記第２のコンテンツを再生する
請求項２に記載の記録装置。
【請求項６】
前記コンテンツ複製手段は、さらに、複製された前記第２のコンテンツのコピー回数などを管理するための管理情報を初期化する
請求項１に記載の記録装置。
【請求項７】
記録装置が、
ユーザの操作に応じて、同じチャンネルの放送信号を受信する複数のチューナのうち、一方のチューナで受信された前記放送信号に含まれる第１のコンテンツをデコードし、
デコードされた前記第１のコンテンツを記録し、
前記第１のコンテンツと同じ内容のコンテンツであって、他方のチューナで受信された前記放送信号に含まれる第２のコンテンツをデコードし、
デコードされた前記第２のコンテンツを記録する権利があることを示す前記第２のコンテンツの権利情報を保持し、
ユーザの操作に応じて、保持されている前記第２のコンテンツの権利情報を用いて、記録された前記第１のコンテンツから、前記第２のコンテンツを複製するステップ
を含む記録方法。
【請求項８】
ユーザの操作に応じて、同じチャンネルの放送信号を受信する複数のチューナのうち、一方のチューナで受信された前記放送信号に含まれる第１のコンテンツをデコードし、
デコードされた前記第１のコンテンツを記録し、
前記第１のコンテンツと同じ内容のコンテンツであって、他方のチューナで受信された前記放送信号に含まれる第２のコンテンツをデコードし、
デコードされた前記第２のコンテンツを記録する権利があることを示す前記第２のコンテンツの権利情報を保持し、
ユーザの操作に応じて、保持されている前記第２のコンテンツの権利情報を用いて、記録された前記第１のコンテンツから、前記第２のコンテンツを複製するステップ
を含む処理をコンピュータに実行させるためのプログラム。
【発明の詳細な説明】
【技術分野】
【０００１】
本発明は、記録装置および方法、並びにプログラムに関し、特に、複数のチューナおよびHDDの記録領域を有効活用するとともに、ユーザに、録画した番組をより楽しませることができるようにした記録装置および方法、並びにプログラムに関する。
【背景技術】
【０００２】
現在、デジタル放送においては、録画した番組のコピーは、「ダビング１０」というコピー制御方式により回数が制限されている。この「ダビング１０」によれば、例えば、HDD（Hard Disk Drive）に録画した番組は、９回までのコピーが可能となっている。
【０００３】
ところで、従来より、２つのチューナを備えた記録装置が存在している。この記録装置においては、２つのチューナにより同じ時間帯に異なる番組を録画したり、視聴することができる。しかしながら、実際には、１つの番組の視聴または録画しか行われていない状態、すなわち、一方のチューナしか使用されておらず、他方のチューナが空いている状態となっていることも少なくない。
【０００４】
例えば、このような場合に、両方のチューナを用いて同じ番組を録画すると、同じ番組のデータが２つ、HDDに記録されるので、同じ番組のコピー許可回数が２倍になる。これにより、ユーザは、空いているチューナを有効活用できるとともに、自分がより楽しむために、その番組のデータを２倍多く使用することができる。
【先行技術文献】
【特許文献】
【０００５】
【特許文献１】特開２００７−２６６８０８号公報
【特許文献２】特開２００７−３２４８５５号公報
【発明の概要】
【発明が解決しようとする課題】
【０００６】
しかしながら、両方のチューナを用いて同じ番組を録画した場合、上述した利点がある反面、HDDにおいては、録画された番組のデータが占める領域が２倍になってしまう。このようなHDDにおける同じ番組のデータの重複記録は、非効率であり、特許文献１または特許文献２において削除対象として記載されているように、あまり好ましい状態ではない。
【０００７】
また、録画された番組のデータが２つあるため、コピーしたり、編集する際には、同じ番組の２つのデータのコピー許可回数を確認する手間が生じる。
【０００８】
本発明はこのような状況に鑑みてなされたものであり、複数のチューナおよびHDDの記録領域を有効活用するとともに、ユーザに番組をより楽しませることができるようにするものである。
【課題を解決するための手段】
【０００９】
本発明の一側面の記録装置は、ユーザの操作に応じて、同じチャンネルの放送信号を受信する複数のチューナと、前記複数のチューナのうち、一方のチューナで受信された前記放送信号に含まれる第１のコンテンツをデコードする第１のデコード手段と、前記第１のデコード手段によりデコードされた前記第１のコンテンツを記録する記録手段と、前記第１のコンテンツと同じ内容のコンテンツであって、他方のチューナで受信された前記放送信号に含まれる第２のコンテンツをデコードする第２のデコード手段と、前記第２のデコード手段によりデコードされた前記第２のコンテンツを記録する権利があることを示す前記第２のコンテンツの権利情報を保持する権利情報保持手段と、ユーザの操作に応じて、前記権利情報保持手段により保持されている前記第２のコンテンツの権利情報を用いて、前記記録手段により記録された前記第１のコンテンツから、前記第２のコンテンツを複製するコンテンツ複製手段とを備える。
【００１０】
前記第２のコンテンツの権利情報が前記権利情報保持手段により保持されている場合、前記第２のコンテンツに関するメタ情報を取得するメタ情報取得手段と、前記メタ情報取得手段により取得された前記メタ情報を保持するメタ情報保持手段と、前記コンテンツ複製手段により前記第２のコンテンツが複製されたとき、前記メタ情報保持手段により保持されている前記メタ情報を、複製された前記第２のコンテンツに紐付けて保持する紐付け保持手段とをさらに備えることができる。
【００１１】
前記メタ情報取得手段は、前記第２のコンテンツの番組情報から取得されるキーワードを用いて、ネットワークに接続されるサーバから、前記第２のコンテンツに関するメタ情報を取得することができる。
【００１２】
前記メタ情報取得手段は、前記記録手段により記録された前記第１のコンテンツの特徴が抽出された結果を、キーワードとして用いて、ネットワークに接続されるサーバから、前記第２のコンテンツに関するメタ情報を取得することができる。
【００１３】
前記記録手段により記録された前記第１のコンテンツ、または、前記複製手段により複製された前記第２のコンテンツを再生する再生手段をさらに備え、前記再生手段は、前記紐付け手段により紐付けて保存された前記メタ情報を用いて、前記複製手段により複製された前記第２のコンテンツを再生することができる。
【００１４】
前記コンテンツ複製手段は、さらに、複製された前記第２のコンテンツのコピー回数などを管理するための管理情報を初期化することができる。
【００１５】
本発明の一側面の記録方法は、記録装置が、ユーザの操作に応じて、同じチャンネルの放送信号を受信する複数のチューナのうち、一方のチューナで受信された前記放送信号に含まれる第１のコンテンツをデコードし、デコードされた前記第１のコンテンツを記録し、前記第１のコンテンツと同じ内容のコンテンツであって、他方のチューナで受信された前記放送信号に含まれる第２のコンテンツをデコードし、デコードされた前記第２のコンテンツを記録する権利があることを示す前記第２のコンテンツの権利情報を保持し、ユーザの操作に応じて、保持されている前記第２のコンテンツの権利情報を用いて、記録された前記第１のコンテンツから、前記第２のコンテンツを複製するステップを含む。
【００１６】
本発明の一側面のプログラムは、ユーザの操作に応じて、同じチャンネルの放送信号を受信する複数のチューナのうち、一方のチューナで受信された前記放送信号に含まれる第１のコンテンツをデコードし、デコードされた前記第１のコンテンツを記録し、前記第１のコンテンツと同じ内容のコンテンツであって、他方のチューナで受信された前記放送信号に含まれる第２のコンテンツをデコードし、デコードされた前記第２のコンテンツを記録する権利があることを示す前記第２のコンテンツの権利情報を保持し、ユーザの操作に応じて、保持されている前記第２のコンテンツの権利情報を用いて、記録された前記第１のコンテンツから、前記第２のコンテンツを複製するステップを含む処理をコンピュータに実行させる。
【００１７】
本発明の一側面においては、ユーザの操作に応じて、同じチャンネルの放送信号を受信する複数のチューナのうち、一方のチューナで受信された前記放送信号に含まれる第１のコンテンツがデコードされ、デコードされた前記第１のコンテンツが記録される。また、前記第１のコンテンツと同じ内容のコンテンツであって、他方のチューナで受信された前記放送信号に含まれる第２のコンテンツがデコードされ、デコードされた前記第２のコンテンツを記録する権利があることを示す前記第２のコンテンツの権利情報が保持される。そして、ユーザの操作に応じて、保持されている前記第２のコンテンツの権利情報を用いて、記録された前記第１のコンテンツから、前記第２のコンテンツが複製される。
【００１８】
記録装置は、独立した装置であってもよいし、信号処理装置や記録再生装置などの記録処理を行うブロックであってもよい。
【発明の効果】
【００１９】
本発明の一側面によれば、番組コンテンツを録画することができる。また、本発明の一側面によれば、複数のチューナおよびHDDの記録領域を有効活用するとともに、ユーザをより楽しませることができる。
【図面の簡単な説明】
【００２０】
【図１】本発明の一実施形態に係る記録再生装置の構成例を示すブロック図である。
【図２】Ｗ録画モードによる録画の詳細を説明する図である。
【図３】Ｗ録画モードによる録画の詳細を説明する図である。
【図４】Ｗ録画モードによる録画の詳細を説明する図である。
【図５】Ｗ録画モードによる録画の詳細を説明する図である。
【図６】図１の記録再生装置のコンテンツ記録処理を説明するフローチャートである。
【図７】図１の記録再生装置のメタ情報取得処理を説明するフローチャートである。
【図８】図１の記録再生装置のコンテンツ活性化処理を説明するフローチャートである。
【図９】図１の記録再生装置のコンテンツ再生処理を説明するフローチャートである。
【図１０】活性化されたコンテンツを再生した場合の映像の表示例を示す図である。
【図１１】コンピュータのハードウエアの構成例を示すブロック図である。
【発明を実施するための形態】
【００２１】
［記録再生装置の構成例］
図１は、本発明の一実施形態に係る記録装置としての記録再生装置の構成例を示すブロック図である。
【００２２】
図１の記録再生装置１１は、例えば、複数のチューナ部を有するHDD（Hard Disk Drive）レコーダなどで構成される。記録再生装置１１は、放送受信部１２で受信した放送波の番組コンテンツ（以下、単にコンテンツと称する）をHDDに記録したり、HDDに記録したコンテンツを再生し、表示装置１３に表示させる。
【００２３】
放送受信部１２は、アンテナやアンテナケーブルなどで構成され、例えば、地上デジタル放送、BS(Broadcasting Satellite)／CS(Communications Satellite) デジタル放送などのデジタル放送の放送波を受信する。
【００２４】
表示装置１３は、液晶モニタなどで構成され、記録再生装置１１により再生された映像や、記録再生装置１１により生成されるGUI（Graphical User Interface）画面などを表示する。
【００２５】
図１の例において、記録再生装置１１は、チューナ部２１−１および２１−２、デコード部２２−１および２２−２、状態管理部２３、メタ情報取得部２４、メタ情報保持部２５、コンテンツ・メタ紐付け部２６、コンテンツ保持部２７、権利管理情報保持部２８、再生制御部２９、コンテンツ複製部３０、記録制御部３１、表示制御部３２、並びに要求受付部３３により構成される。
【００２６】
放送受信部１２により受信されたデジタル放送の放送波は、チューナ部２１−１および２１−２に供給される。チューナ部２１−１および２１−２は、アナログチューナやデジタルチューナなどで構成される。チューナ部２１−１および２１−２は、それぞれ、ユーザの要求に対応するチャンネルを選局し、放送受信部１２により受信された放送信号から、選局したチャンネルの放送信号を受信する。
【００２７】
具体的には、チューナ部２１−１および２１−２は、それぞれ、放送受信部１２により受信された放送信号から、ユーザの選局に対応する放送信号を抽出して、復調し、トランスポートストリーム（TS : transport Stream）を生成する。チューナ部２１−１および２１−２により生成されたトランスポートストリームは、それぞれ、デコード部２２−１および２２−２に出力される。
【００２８】
デコード部２２−１は、第１のデコード部として、チューナ部２１−１により受信された放送信号に対応するデータをデコードする。デコード部２２−２は、第２のデコード部として、チューナ部２１−２により受信された放送信号に対応するデータをデコードする。
【００２９】
具体的には、デコード部２２−１および２２−２は、チューナ部２１−１および２１−２からのトランスポートストリームのデータのデコードとして、所定の符号化方式で符号化されているデータの復号を行うとともに、マルチ２暗号の解除を行う。マルチ２暗号の解除については、デコード部２２−１および２２−２は、それぞれ、記録再生装置１１に挿入された図示せぬB-CASカードと通信することで、B-CASカード上の鍵を用いて、デコードしたデータの暗号を解読する。
【００３０】
ここで、記録再生装置１１においては、録画モードとして、標準録画モードとＷ（ダブル）録画モードが設けられている。
【００３１】
標準録画モードは、チューナ部２１−１および２１−２のうち少なくとも一方のチューナ部が、ユーザが要求するチャンネルのコンテンツを受信し、受信されたチャンネルのコンテンツが記録されるモードである。記録再生装置１１が２つのチューナ部２１−１および２１−２を有しているので、標準録画モードを用いることで、ユーザは同じ時間帯に異なる２つのコンテンツの録画（または視聴）を要求することができる。
【００３２】
Ｗ録画モードは、両方のチューナ部２１−１および２１−２が、ユーザが要求する同じチャンネルのコンテンツを受信して、そのうちの一方のチューナ部（例えば、チューナ部２１−１）により受信されたコンテンツのみが記録されるモードである。すなわち、Ｗ録画モードにおいて、他方のチューナ部（例えば、チューナ部２１−２）により受信されたコンテンツは記録されず、コンテンツ自体の記録の代わりに、そのコンテンツを記録する権利を有することを示す情報である権利情報が記録される。
【００３３】
詳しくは後述するが、記録再生装置１１においては、ユーザの要求により、この権利情報が用いられて、一方のチューナ部により受信されて記録されたコンテンツが複製される。
【００３４】
以下、一例として、チューナ部２１−１を一方のチューナ部として、チューナ部２１−２を他方のチューナ部として説明する。
【００３５】
状態管理部２３は、デコード部２２−１および２２−２を監視し、Ｗ録画モードにより録画されるコンテンツの状態として、コンテンツの録画開始、録画中、録画終了、並びに録画終了後の経過日数などの情報を管理している。
【００３６】
メタ情報取得部２４は、状態管理部２３が管理するコンテンツの状態を参照して、権利情報がある場合、Ｗ録画モードにより録画されたコンテンツに関するメタ情報を取得する。メタ情報取得部２４は、インターネットとの通信機能を有しており、例えば、インターネットに接続される図示せぬサーバから、コンテンツに関するメタ情報を取得する。
【００３７】
メタ情報保持部２５は、例えば、不揮発性メモリなどで構成され、メタ情報取得部２４により取得されたメタ情報を保存し、保持する。メタ情報保持部２５により保持されるメタ情報には、例えば、時刻情報に紐づいたコンテンツの内容のメタ情報や、コンテンツそのものに紐づいた内容のメタ情報などがある。
【００３８】
時刻情報に基づいたコンテンツの内容のメタ情報とは、CM情報（CM開始時刻や終了時刻）やあらすじなどであり、例えば、チャプタ情報やプレイリストなどがある。コンテンツそのものに紐づいた内容のメタ情報とは、例えば、インターネットにおけるそのコンテンツそのものの検索回数（人気、話題性を表す数値として）や、コンテンツ評価などがある。
【００３９】
コンテンツ・メタ紐付け部２６は、活性化（複製）されたコンテンツと、そのコンテンツに関して、メタ情報取得部２４により取得されてコンテンツ保持部２７に保持されているメタ情報を紐付けて保持する。コンテンツ・メタ紐付け部２６は、要求受付部３３から入力されるユーザによるコンテンツの活性化の要求を契機として、この処理を実行する。これにより、活性化されたコンテンツを再生する際に、このメタ情報を、例えば、字幕情報やチャプタ情報として用いることができる。
【００４０】
なお、コンテンツ・メタ紐付け部２６により保持される内容は、コンテンツを記録再生装置１１に着脱可能な記録媒体に書き出す際に、字幕情報やチャプタ情報として記録媒体に保存するようにすることもできる。
【００４１】
コンテンツ保持部２７は、HDDなどで構成される。コンテンツ保持部２７は、記録制御部３１の制御のもと、記録部として機能し、コンテンツを記録し、保持する。また、コンテンツ保持部２７は、再生制御部２９の制御のもと、再生部として機能し、記録されているコンテンツを読み出し、表示制御部３２に出力する。
【００４２】
権利管理情報保持部２８は、コンテンツ保持部２７に記録されるコンテンツのコピー回数などを管理する管理情報を保持している。権利管理情報保持部２８は、デコード部２２−１または２２−２で正しくデコードされていることに基づいて、デコードされたコンテンツの管理情報を生成し保持する。管理情報には、コンテンツのダビング回数やムーブ回数が記述されており、それらの回数は、制限回数に達するまで、対応するコンテンツのダビングやムーブに応じて更新される。
【００４３】
また、権利管理情報保持部２８は、記録制御部３１の制御のもと、Ｗ録画モードにおいて、他方のチューナ部２１−２により受信されたコンテンツに対しては、そのコンテンツを記録する権利を有することを示す情報である権利情報を生成し、生成した権利情報を保持する。この権利情報の生成処理は、他方のチューナ部２１−２でコンテンツが正しくデコードされていることに基づいて行われる。
【００４４】
再生制御部２９は、要求受付部３３から入力されるユーザの再生要求に応じて、コンテンツ保持部２７に保持されているコンテンツの再生を制御する。なお、ユーザからメタ情報を用いる要求があった場合には、コンテンツ・メタ紐付け部２６のメタ情報や記録時または再生時にそのコンテンツに付加されるメタ情報が用いられて、コンテンツの再生が制御される。
【００４５】
コンテンツ複製部３０は、要求受付部３３から入力されるユーザのコンテンツの活性化要求に応じて、Ｗ録画モードにより記録されたコンテンツの権利情報が、権利管理情報保持部２８に保持されていることを確認する。権利情報が確認された場合、コンテンツ複製部３０は、Ｗ録画モードにより記録されたコンテンツの複製を行う。このとき、権利管理情報保持部２８に保持されている管理情報も同時に複製される。したがって、コンテンツ複製部３０は、さらに、複製されたコンテンツの管理情報の更新（コピー回数などの初期化）も行う。
【００４６】
記録制御部３１は、要求受付部３３から入力されるユーザの録画要求に応じて、コンテンツ保持部２７による、デコード部２２−１または２２−２によりデコードされたデータの記録や記録禁止を制御する。また、記録制御部３１は、要求受付部３３からＷ録画モードによる録画が要求された場合、権利管理情報保持部２８を制御し、権利情報を生成させる。
【００４７】
すなわち、標準録画モードによる録画が要求された場合、記録制御部３１の制御により、チューナ部２１−１および２１−２により受信され、デコード部２２−１および２２−２によりデコードされたデータは、それぞれ、コンテンツ保持部２７により記録される。したがって、チューナ部２１−１および２１−２の両方に対して標準録画モードによる録画が要求された場合、コンテンツ保持部２７には、２つの異なるコンテンツが保持される。
【００４８】
これに対して、例えば、Ｗ録画モードによる録画が要求された場合、記録制御部３１の制御により、一方のチューナ部２１−１により受信され、デコード部２２−１によりデコードされたデータは、コンテンツ保持部２７により記録される。しかしながら、他方のチューナ部２１−２により受信され、デコード部２２−２によりデコードされたデータについては、コンテンツ保持部２７による記録が行われず、代わりに、権利管理情報保持部２８により権利情報が生成される。すなわち、チューナ部２１−１および２１−２の両方に対してＷ録画モードによる録画が要求された場合、コンテンツ保持部２７には、１つのコンテンツしか保持されない。
【００４９】
表示制御部３２は、コンテンツ保持部２７により再生されたコンテンツに対応する映像や、ユーザが記録再生装置１１に対して要求を行うため、あるいは、ユーザに情報を通知するためのGUI画面を生成し、表示装置１３に表示させる。
【００５０】
要求受付部３３は、リモートコントローラ、あるいは、記録再生装置１１の筐体などに設けられるキーやボタンなどで構成され、ユーザの要求を受け付けて、記録再生装置１１の対応する各部に出力する。
【００５１】
例えば、ユーザの録画要求は、記録制御部３１に出力される。ユーザのコンテンツの活性化要求は、コンテンツ複製部３０およびコンテンツ・メタ紐付け部２６に出力される。ユーザの再生要求は、再生制御部２９に出力される。なお、その図示は省略されているが、ユーザの選局要求は、チューナ部２１−１または２１−２に出力される。
【００５２】
なお、図１の例においては、チューナ部が２台で構成される場合の例が示されているが、チューナ部は、複数台で構成されればよく、２台に限定されない。また、図１の例においては、Ｗ録画モードの場合のデータおよび指示信号の流れが図示されているため、説明の便宜上、デコード部２２−２からコンテンツ保持部２７へのデータの流れを示す矢印は記載されていない。
【００５３】
［Ｗ録画モードによる録画の詳細］
次に、図２乃至図４を参照して、記録再生装置１１のＷ録画モードによる録画について詳しく説明する。なお、図２乃至図４の例の記録再生装置１１においては、説明の便宜上、チューナ部２１−１および２１−２、コンテンツ保持部２７、並びに、権利管理情報保持部２８のみが示されている。
【００５４】
まず、図２に示されるように、放送局のアンテナ５１から送信されてくる放送波は、記録再生装置１１において、放送受信部１２を介して、チューナ部２１−１および２１−２に供給される。ユーザは要求受付部３３を操作して、Ｗ録画モードによるコンテンツＡの録画を要求する。このＷ録画モードによるコンテンツＡの録画の要求に対応して、チューナ部２１−１および２１−２は、それぞれ、放送受信部１２により受信された放送信号から、ユーザの要求に対応する同じチャンネルを選局し、コンテンツＡの放送信号を受信する。チューナ部２１−１および２１−２は、それぞれ、コンテンツＡの放送信号に対応するデータを、デコード部２２−１および２２−２に出力する。
【００５５】
なお、以下、説明の便宜上、チューナ部２１−１により受信されたコンテンツＡと、チューナ部２１−２により受信されたコンテンツＡとを区別するため、チューナ部２１−２により受信されたコンテンツＡをコンテンツＡ´として説明する。したがって、コンテンツＡとコンテンツＡ´の内容は、同じである。
【００５６】
チューナ部２１−１により受信されたコンテンツＡの放送信号に対応するデータは、デコード部２２−１によりデコードされる。デコード部２２−１によりデコードされたコンテンツＡは、コンテンツ保持部２７に記録される。このとき、権利管理情報保持部２８においては、コンテンツＡの管理情報が生成される。
【００５７】
一方、チューナ部２１−２により受信されたコンテンツＡ´の放送信号に対応するデータは、デコード部２２−２によりデコードされる。ただし、デコード部２２−２によりデコードされたコンテンツＡ´はコンテンツ保持部２７には記録されず、代わりに、デコード部２２−２のデコード状態に基づいて生成されるコンテンツＡ´の権利情報が、権利管理情報保持部２８に保持される。
【００５８】
すなわち、チューナ部２１−１により受信されたコンテンツＡのみが、コンテンツ保持部２７に保持され、チューナ部２１−２により受信されたコンテンツＡ´については、権利情報のみが権利管理情報保持部２８に保持される。
【００５９】
例えば、表示制御部３２は、図３に示されるように、コンテンツ選択画面６１を表示装置１３に表示させる。コンテンツ選択画面６１には、コンテンツ保持部２７に保持されているコンテンツの代表画像とともにコンテンツのタイトルリスト７１が表示される。ユーザは、要求受付部３３を用いて、タイトルリスト７１から、ハッチングされている「コンテンツＡのタイトル」を選択する。これに対応して、表示制御部３２は、さらに、コンテンツ選択画面６１に、コンテンツの操作リスト７２を表示させる。ユーザは、要求受付部３３を用いて、操作リスト７２から、ハッチングされている「コンテンツの活性化」を選択することで、コンテンツＡ´の活性化を記録再生装置１１に要求する。
【００６０】
要求受付部３３から入力されるユーザのコンテンツＡ´の活性化要求に応じて、図４に示されるように、記録再生装置１１においては、コンテンツＡ´を利用可能な状態にするためのコンテンツＡ´の活性化が実行される。コンテンツＡ´の活性化としては、権利情報の保持の確認、コンテンツＡ´の複製、並びに、管理情報の更新が行われる。
【００６１】
具体的には、まず、チューナ部２１−２により受信されたコンテンツＡ´の権利情報が権利管理情報保持部２８に保持されているかが確認される。コンテンツＡ´の権利情報の保持が確認された場合、コンテンツ保持部２７において保持されているコンテンツＡから、コンテンツＡ´が複製されるとともに、権利管理情報保持部２８において、複製されたコンテンツＡ´の管理情報が更新される。すなわち、コンテンツＡから、コンテンツＡ´が複製されるときに、コンテンツＡ´の管理情報も複製されるので、複製されたコンテンツＡ´の管理情報が、放送受信直後の状態に初期化（ダビング回数、ムーブ回数が初期化）される。
【００６２】
なお、このコンテンツＡ´の活性化における複製は、権利情報が用いられての複製であるので、コンテンツ保持部２７において保持されているコンテンツＡのコピー回数はカウントされない。
【００６３】
コンテンツＡ´の活性化中、表示制御部３２は、コンテンツＡの代表画像とタイトルに重ねて、ユーザへのメッセージ９１が表示される通知画面８１を表示装置１３に表示させる。例えば、通知画面８１には、「コンテンツを利用可能にしています  しばらくお待ちください」のメッセージ９１が表示される。
【００６４】
そして、図５に示されるように、コンテンツの活性化が終了すると、表示制御部３２は、コンテンツＡの代表画像とタイトルに加えて、活性化されたコンテンツＡ´の代表画像とタイトルが表示されるコンテンツ選択画面１０１を表示装置１３に表示させる。このとき、活性化されたコンテンツＡ´は、コンテンツＡと内容は一緒であるが、別のコンテンツと認識され、別のタイトル「コンテンツＡ´」で表示される。
【００６５】
これにより、ユーザは、コンテンツＡだけでなく、コンテンツＡ´を選択して、利用（再生、編集）することができる。すなわち、同じ内容のコンテンツであっても、コンテンツＡおよびコンテンツＡ´というように、別々のコンテンツとして扱われ、別のタイトルでリスト表示されるので、ユーザの混乱を防ぐことができる。また、別々のコンテンツとして扱われることから、一方をコピーする際などに、他方のコピー許可回数を確認する必要がない。
【００６６】
以上のように、記録再生装置１１において、２つのチューナ部で同じコンテンツを受信し、一方は、コンテンツを記録し、他方は、その権利情報のみを保存しておき、ユーザの要求に応じて、権利情報を用いてコンテンツを複製して、利用可能にするようにした。
【００６７】
これにより、ユーザによりコンテンツの活性化が要求されるまでは、コンテンツ保持部２７におけるコンテンツの記憶領域は１つ分のまま、実際には、２倍のコピー許可回数を有することができる。すなわち、コンテンツ保持部２７における記憶領域を無駄に用いることなく、空いている他方のチューナ部を有効に活用することができる。
【００６８】
そして、コンテンツが活性化された場合には、コピー許可回数が増えるので、ユーザは、コピーしたコンテンツを用いて編集したり、再生したり、いろいろ楽しむことができる。
【００６９】
［記録再生装置の動作］
次に、図６のフローチャートを参照して、記録再生装置１１のコンテンツ記録処理について説明する。
【００７０】
例えば、ユーザは、要求受付部３３を操作して、Ｗ録画モードによるコンテンツの録画を要求する。要求受付部３３は、ユーザからのＷ録画モードによるコンテンツの録画要求を、記録制御部３１に出力する。
【００７１】
記録制御部３１は、ステップＳ１１において、要求受付部３３を介して、ユーザから録画要求があったと判定するまで待機している。記録制御部３１は、ステップＳ１１において、ユーザから録画要求があったと判定した場合、ステップＳ１２において、両方のチューナ部が利用可能であるか否かを判定する。
【００７２】
記録制御部３１は、ステップＳ１２において、両方のチューナ部が利用可能であると判定した場合、ステップＳ１３において、ユーザにより要求された録画モードがＷ録画モードであるか否かを判定する。
【００７３】
記録制御部３１は、ステップＳ１３において、ユーザにより要求された録画モードがＷ録画モードであると判定した場合、ステップＳ１４において、両方のチューナ部２１−１および２１−２に、ユーザにより要求された同じチャンネルのコンテンツを受信させる。
【００７４】
これに対応して、チューナ部２１−１および２１−２は、それぞれ、放送受信部１２により受信された放送信号から、ユーザの要求に対応する同じチャンネルを選局し、ユーザの要求に対応するコンテンツの放送信号を受信する。チューナ部２１−１および２１−２は、コンテンツの放送信号に対応するデータを、それぞれ、デコード部２２−１および２２−２に出力する。デコード部２２−１および２２−２は、それぞれ、チューナ部２１−１および２１−２からのコンテンツの放送信号に対応するデータをデコードする。
【００７５】
記録制御部３１は、ステップＳ１５において、コンテンツ保持部２７を制御し、一方のチューナ部２１−１で受信されたコンテンツを記録させるとともに、他方のチューナ部２１−２で受信されたコンテンツの記録を禁止する。これに対応して、コンテンツ保持部２７は、チューナ部２１−１により生成され、デコード部２２−１によりデコードされたコンテンツのデータのみを記録し、保持する。このとき、権利管理情報保持部２８においては、コンテンツＡの管理情報が生成される。
【００７６】
記録制御部３１は、ステップＳ１６において、権利管理情報保持部２８を制御し、他方のチューナ部２１−２で受信されたコンテンツの権利情報を保持させる。これに対応して、権利管理情報保持部２８は、デコード部２２−２によるデコードが正しく行われていることを確認して、チューナ部２１−２で受信されたコンテンツの権利情報を生成し、生成した権利情報を保持する。
【００７７】
一方、例えば、どちらか一方のチューナ部が予約録画などで用いられている場合、ステップＳ１２において、両方のチューナ部が利用可能ではないと判定される。ステップＳ１２において、両方のチューナ部が利用可能ではないと判定された場合、あるいは、標準録画モードが選択され、ステップＳ１３においてＷ録画モードではないと判定された場合、処理は、ステップＳ１７に進む。
【００７８】
ステップＳ１７において、記録制御部３１は、空いている一方のチューナ部に、ユーザにより要求されたチャンネルのコンテンツを受信させ、コンテンツ保持部２７に、一方のチューナ部で受信されたコンテンツを記録させる。
【００７９】
以上のように、記録再生装置１１においては、Ｗ録画モードの録画の場合、両方のチューナ部で同じコンテンツが受信され、一方のチューナ部で受信されたコンテンツのみが記録され、他方のチューナ部で受信されたコンテンツに対しては、その権利情報のみが保持される。
【００８０】
これにより、ユーザによりコンテンツの活性化が要求されるまでは、コンテンツ保持部２７におけるコンテンツの記憶領域は１つ分のままで、２倍のコピー許可回数を有することができる。
【００８１】
例えば、録画されたコンテンツ、あるいは、録画予約により録画されたコンテンツは、録画（放送）されてから少し時間が経過してから、ユーザに視聴されることが多い。したがって、Ｗ録画モードによりコンテンツが録画されてから、ユーザがコンテンツを活性化するまでには、多少なりとも時間が存在する。この時間に、記録再生装置１１においては、Ｗ録画モードの録画により保持されたコンテンツのメタ情報が取得される。
【００８２】
次に、図７のフローチャートを参照して、Ｗ録画モードの録画により保持されたコンテンツのメタ情報を取得する処理であるメタ情報取得処理について説明する。このメタ情報取得処理は、所定の間隔で行われる。
【００８３】
状態管理部２３は、デコード部２２−１および２２−２を監視し、Ｗ録画モードにより録画されるコンテンツの状態として、コンテンツの録画開始、録画中、録画終了、並びに録画終了後の経過日数などの情報を管理している。これらの情報は、例えば、権利情報が用いられてコンテンツが活性化（複製）された場合に消去される。すなわち、状態管理部２３が状態を管理するコンテンツは、Ｗ録画モードで録画される（または、録画された）コンテンツであり、そのうち、録画終了した状態であるコンテンツは、権利情報を有している。
【００８４】
メタ情報取得部２４は、ステップＳ３１において、状態管理部２３に状態が管理されているコンテンツを１つ選択し、ステップＳ３２において、そのコンテンツが、権利情報を有しているか否かを判定する。コンテンツの状態が録画終了している場合、ステップＳ３２において、コンテンツが権利情報を有していると判定され、処理は、ステップＳ３３に進む。なお、状態管理部２３が権利情報の有無の情報そのものを管理することにしてもよいし、権利管理情報保持部２８を確認することで、ステップＳ３２の判定が行われてもよい。
【００８５】
メタ情報取得部２４は、ステップＳ３３において、メタ情報を検索する。例えば、インターネットに接続される図示せぬサーバには、コンテンツの放送後にエンドユーザなどが生成したメタ情報が送信されて、公開されている。エンドユーザなどが生成したメタ情報としては、例えば、ブログにおけるコメント、コンテンツ提供サイトにおけるコンテンツ評価、見どころ情報、他のコンテンツとの関連情報、プレイリスト、チャプタ情報、シーン情報などがある。
【００８６】
メタ情報取得部２４は、インターネット上のサーバに対して、コンテンツのタイトル名や、コンテンツの特徴を抽出した結果などを検索キーとして、コンテンツに関するメタ情報を検索する。
【００８７】
検索キーとしては、例えば、タイトル名、サブタイトル名（「第３話」など）、出演者名など、EPG番組情報から抜き出したキーワードなどが用いられる。EPG番組情報は、デコード部２２−１または２２−２によりデコードされたトランスポートストリームのセクションデータに含まれるPSI/SI(Program Specific Information/Service Information)などから取得可能である。
【００８８】
また、他の検索キーとしては、CM開始時刻、終了時刻、CM区間時間長などが用いられる。さらに他の検索キーとしては、コンテンツの特徴の抽出結果である、縮小映像（サムネイル）や顔検出した結果の映像、映像の特徴量、ヒストグラム、顔検出位置、音声の特徴量、無音区間情報、平均音量などが用いられる。すなわち、この場合、コンテンツ保持部２７に保持されているチューナ部２１−１で受信されたコンテンツを用いて特徴が抽出されて、その結果が検索キーとして用いられる。
【００８９】
以上の中から、少なくとも１つが検索キーとして、インターネット上のサーバへ送信され、コンテンツに関するメタ情報が検索される。これにより、例えば、放送されたコンテンツを視聴した視聴者が生成したメタ情報が取得される。
【００９０】
具体的には、ブログにおけるコンテンツに対するコメント、コンテンツの評価、そのコンテンツの見どころ情報、他のコンテンツとの関連情報、コンテンツのプレイリスト、コンテンツのチャプタ情報、コンテンツのシーン情報などのメタ情報が取得される。あるいは、インターネットにおけるそのコンテンツそのものの検索回数（人気、話題性を表す数値として）などもメタ情報の１つとして取得される。
【００９１】
メタ情報保持部２５は、ステップＳ３４において、メタ情報取得部２４がメタ情報を取得したか否かを判定する。メタ情報保持部２５は、ステップＳ３４において、メタ情報取得部２４がメタ情報を取得したと判定した場合、ステップＳ３５において、メタ情報取得部２４により取得されたメタ情報を保存し、保持する。
【００９２】
ステップＳ３２において、コンテンツが権利情報を有していないと判定された場合、または、ステップＳ３４において、メタ情報を取得していないと判定された場合、処理は、ステップＳ３６に進む。
【００９３】
ステップＳ３６において、メタ情報取得部２４は、状態管理部２３に状態が管理されているすべてのコンテンツに対して処理が終了したか否かを判定する。ステップＳ３６において、状態管理部２３に状態が管理されているすべてのコンテンツに対して処理が終了したと判定された場合、メタ情報取得処理は終了される。ステップＳ３６において、すべてのコンテンツに対して処理がまだ終了していないと判定された場合、処理は、ステップＳ３１に戻り、それ以降の処理が繰り返される。
【００９４】
以上のようにして、コンテンツが放送されてから、ユーザによりコンテンツ活性化が要求されるまでの時間に、対象のコンテンツを見た視聴者などにより生成されたメタ情報を取得することができる。
【００９５】
なお、ユーザによりコンテンツ活性化が要求される前に、一定量のメタ情報がメタ情報保持部２５に蓄積された場合、それをユーザに通知したり、あるいは、ユーザからの要求を待たずに、コンテンツの活性化を行うようにすることもできる。これにより、ユーザに、活性化されたコンテンツの再生を促すことができるので、例えば、ユーザがＷ録画モードによる録画をしていたのに忘れて放置していた場合、それを気づかせてあげることができる。
【００９６】
次に、図８のフローチャートを参照して、記録再生装置１１のコンテンツ活性化処理について説明する。図８の例においては、コンテンツの活性化として、Ｗ録画モードにより記録された（すなわち、チューナ部２１−１で受信された）コンテンツを複製する例を説明する。
【００９７】
例えば、ユーザは、Ｗ録画モードでの録画後、権利情報のみが記録されたコンテンツを利用可能にするために、要求受付部３３を用いて、そのコンテンツの活性化を要求する。要求受付部３３は、ユーザからのコンテンツ活性化の要求を、コンテンツ複製部３０およびコンテンツ・メタ紐付け部２６に出力する。
【００９８】
コンテンツ複製部３０は、ステップＳ５１において、ユーザからコンテンツ活性化の要求があったと判定するまで待機している。要求受付部３３からユーザのコンテンツの活性化要求が入力された場合、コンテンツ複製部３０は、ステップＳ５１において、ユーザからコンテンツ活性化の要求があったと判定して、ステップＳ５２において、権利情報から活性化が可能であるか否かを判定する。
【００９９】
コンテンツ複製部３０は、権利管理情報保持部２８に保持されている、Ｗ録画モードにより記録されたコンテンツの権利情報を確認する。権利管理情報保持部２８に権利情報があった場合、ステップＳ５２において、権利情報から活性化が可能であると判定され、処理は、ステップＳ５３に進む。ステップＳ５３において、コンテンツ複製部３０は、コンテンツ保持部２７に、コンテンツの活性化に必要な容量があるか否かを判定する。
【０１００】
コンテンツ複製部３０は、ステップＳ５３において、コンテンツ保持部２７に、コンテンツの活性化に必要な容量があると判定した場合、ステップＳ５４において、コンテンツを活性化する。
【０１０１】
なお、チューナ部２１−１で受信され、コンテンツ保持部２７に保持されているコンテンツが複製される場合、記録時にそのコンテンツに付加されたメタ情報（例えば、チャプタ情報など）や再生時に付加されたメタ情報（例えば、再生履歴など）、さらに、管理情報も同時に複製される。したがって、コンテンツ複製部３０は、コンテンツの活性化として、Ｗ録画モードにより記録されたコンテンツの複製を行うとともに、その複製された管理情報を初期化（コピー回数、ムーブ回数を初期化）する処理である管理情報の更新も行う。
【０１０２】
一方、コンテンツ・メタ紐付け部２６にも、要求受付部３３からユーザのコンテンツの活性化要求が入力される。要求受付部３３からのコンテンツの活性化要求が入力されると、コンテンツ・メタ紐付け部２６は、ステップＳ５５において、活性化されたコンテンツに関する新たなメタ情報がメタ情報保持部２５にあるか否かを判定する。すなわち、ここでは、複製時に同時に複製された（引き継がれた）メタ情報以外の新しいメタ情報があるか否かが判定される。
【０１０３】
コンテンツ・メタ紐付け部２６は、ステップＳ５５において、新たなメタ情報がメタ情報保持部２５にあると判定した場合、ステップＳ５６において、活性化されたコンテンツとメタ情報の紐付けを行い、それを保持する。また、ステップＳ５５において、新たなメタ情報がないと判定された場合、コンテンツ活性化処理は終了される。
【０１０４】
また、ステップＳ５２において、権利情報から活性化が可能ではないと判定された場合、または、ステップＳ５３において、コンテンツ保持部２７に活性化に必要な容量がないと判定された場合、処理は、ステップＳ５７に進む。ステップＳ５７において、表示制御部３２は、エラーを通知する画面を表示装置１３に表示させ、ユーザにエラーを通知し、コンテンツ活性化処理は終了される。なお、図示せぬ音声出力部から、エラーを通知するための警告音を出力させてもよい。
【０１０５】
なお、図８のコンテンツの活性化の他の例として、例えば、チューナ部２１−１で受信されて記録されたコンテンツの消去と、チューナ部２１−２で受信されたコンテンツの生成とを同時に行うこともできる。この場合、コンテンツの複製は行われず、権利情報の確認に基づく管理情報の更新のみが行われる。
【０１０６】
以上のように、コンテンツの活性化の契機で、活性化されたコンテンツにメタ情報を紐付けするようにしたので、図９および図１０を参照して後述するように再生時の利便性を高めることができる。
【０１０７】
次に、図９のフローチャートを参照して、記録再生装置１１のコンテンツ再生処理について説明する。
【０１０８】
例えば、ユーザは、Ｗ録画モードで録画したコンテンツを視聴するため、要求受付部３３を操作して、コンテンツの再生を要求する。なお、このとき、メタ情報を用いての再生モードか、メタ情報が用いられない標準の再生モードかも指示される。
【０１０９】
ステップＳ７１において、再生制御部２９は、ユーザからコンテンツの再生の要求があったと判定するまで待機している。再生制御部２９は、ステップＳ７１において、ユーザからコンテンツ再生の要求があったと判定した場合、ステップＳ７２において、メタ情報を用いて再生するか否かを判定する。
【０１１０】
ステップＳ７２において、メタ情報を用いて再生すると判定された場合、処理は、ステップＳ７３に進む。再生制御部２９は、ステップＳ７３において、再生部として機能するコンテンツ保持部２７を制御し、記録時または再生時に付加されたメタ情報、または、コンテンツ・メタ紐付け部２６において紐付けされているメタ情報を用いて、コンテンツを再生させる。
【０１１１】
一方、ステップＳ７２において、メタ情報を用いて再生しないと判定された場合、処理は、ステップＳ７４に進む。ステップＳ７４において、再生制御部２９は、再生部として機能するコンテンツ保持部２７を制御し、コンテンツを再生させる。
【０１１２】
なお、活性化されたコンテンツについては、チューナ部２１−１により受信され、保持されているコンテンツの再生との差別化を図るために、自動的にメタ情報を用いての再生を行うようにすることもできる。
【０１１３】
［再生コンテンツの表示例］
図１０は、インターネット上のサーバなどから取得されたメタ情報を用いて、コンテンツを再生した場合の映像の表示例を示す図である。
【０１１４】
表示装置１３には、コンテンツの映像１５１とともに、「かわいい〜（*^_^*）」という字幕（テロップ）１５２と、「負けるな〜」という字幕１５３が、映像１５１に重畳されて表示されている。なお、この字幕１５２および１５３は、この位置のみに表示させることもできるし、左から右などに移動表示させることもできる。
【０１１５】
字幕１５２および１５３は、例えば、インターネット上のサーバにあった映像１５１に対する他の視聴者のコメントであり、メタ情報としてメタ情報取得部２４により取得され、この映像１５１のコンテンツに紐付けられて保持されているものである。
【０１１６】
このように、他のユーザのコメントであるメタ情報を字幕としてコンテンツの映像１５１に重畳させて表示させることができるので、ユーザは、コンテンツだけを視聴するのと異なった楽しみ方をすることができる。
【０１１７】
なお、メタ情報を用いてのコンテンツの再生方法としては、この他に、見どころやプレイリストがメタ情報として紐付けされている場合には、見どころ部分のみを再生する方法や、プレイリストを用いて再生する方法などがある。
【０１１８】
以上のように、両方のチューナ部で同じコンテンツを受信させ、一方のチューナ部により受信されたコンテンツのみを記録させ、他方のチューナ部により受信されたコンテンツに対しては、権利情報のみを記録するようにした。これにより、コンテンツ１つ分の記録領域で、２つ分のコピー許可回数を有することができる。
【０１１９】
また、コンテンツを活性化させる際に、放送されてからそれまでの間に取得されたそのコンテンツに対するメタ情報が紐付けされるので、活性化されたコンテンツの再生の利便性を高めることができる。
【０１２０】
すなわち、放送されてから、コンテンツ活性化までの間（コンテンツを寝かしている間）に、他の視聴者が生成したメタ情報などが、そのコンテンツに紐付けされるので、ユーザは、手間をかけることなく、他の視聴者とコンテンツの楽しみ方を共有することができる。
【０１２１】
以上のように、本発明によれば、ユーザに、異なる楽しみ方を提案することができ、ユーザをより楽しませることができる。
【０１２２】
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な汎用のパーソナルコンピュータなどが含まれる。
【０１２３】
図１１は、上述した一連の処理をプログラムにより実行するコンピュータのハードウエアの構成例を示すブロック図である。
【０１２４】
コンピュータにおいて、CPU(Central Processing Unit)２０１、ROM(Read Only Memory)２０２、RAM(Random Access Memory)２０３は、バス２０４により相互に接続されている。
【０１２５】
バス２０４には、さらに、入出力インタフェース２０５が接続されている。入出力インタフェース２０５には、入力部２０６、出力部２０７、記憶部２０８、通信部２０９、およびドライブ２１０が接続されている。
【０１２６】
入力部２０６は、キーボード、マウス、マイクロフォンなどよりなる。出力部２０７は、ディスプレイ、スピーカなどよりなる。記憶部２０８は、ハードディスクや不揮発性のメモリなどよりなる。通信部２０９は、ネットワークインタフェースなどよりなる。ドライブ２１０は、磁気ディスク、光ディスク、光磁気ディスク、又は半導体メモリなどのリムーバブルメディア２１１を駆動する。
【０１２７】
以上のように構成されるコンピュータでは、CPU２０１が、例えば、記憶部２０８に記憶されているプログラムを入出力インタフェース２０５及びバス２０４を介してRAM２０３にロードして実行することにより、上述した一連の処理が行われる。
【０１２８】
コンピュータ（CPU２０１）が実行するプログラムは、例えば、パッケージメディア等としてのリムーバブルメディア２１１に記録して提供することができる。また、プログラムは、ローカルエリアネットワーク、インターネット、デジタル放送といった、有線または無線の伝送媒体を介して提供することができる。
【０１２９】
コンピュータでは、プログラムは、リムーバブルメディア２１１をドライブ２１０に装着することにより、入出力インタフェース２０５を介して、記憶部２０８にインストールすることができる。また、プログラムは、有線または無線の伝送媒体を介して、通信部２０９で受信し、記憶部２０８にインストールすることができる。その他、プログラムは、ROM２０２や記憶部２０８に、あらかじめインストールしておくことができる。
【０１３０】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１３１】
本発明の実施の形態は、上述した実施の形態に限定されるものではなく、本発明の要旨を逸脱しない範囲において種々の変更が可能である。
【符号の説明】
【０１３２】
１１  記録再生装置，  １２  放送受信部，  １３  表示装置，  ２１−１,２１−２  チューナ部，  ２２−１,２２−２  デコード部，  ２３  状態管理部，  ２４  メタ情報取得部，  ２５  メタ情報保持部，  ２６  コンテンツ・メタ紐付け部，  ２７  コンテンツ保持部,  ２８  権利管理情報保持部，  ２９  再生制御部，  ３０  コンテンツ複製部，  ３１  記録制御部，  ３２  表示制御部，  ３３  要求受付部
【図１】
2010161434.tif 000003
【図２】
2010161434.tif 000004
【図３】
2010161434.tif 000005
【図４】
2010161434.tif 000006
【図５】
2010161434.tif 000007
【図６】
2010161434.tif 000008
【図７】
2010161434.tif 000009
【図８】
2010161434.tif 000010
【図９】
2010161434.tif 000011
【図１０】
2010161434.tif 000012
【図１１】
2010161434.tif 000013